(57)【要約】【課題】患者の症状等から最適な処方を、専門家を介することなく自動的に探索する。【解決手段】実際の症状が入力される入力ステップと、データベース３に記憶されている各症状と、その処方との３段階以上の第１連関度を参照し、入力ステップにおいて入力された症状に基づき、１以上の処方を探索する探索ステップとを有し、データベース３は、各症状と、その処方との関係を新たに取得した場合には、これを第１連関度に反映させることで更新することを特徴とする。【選択図】図３
2019113949.tif 000002
【特許請求の範囲】
【請求項１】
各症状と、各生活習慣並びに各属性情報の何れか１以上との組み合わせと、その処方との３段階以上の第１連関度が予め記憶されているデータベースと、
上記組み合わせを構成する情報が入力される入力手段と、
上記データベースに記憶されている第１連関度を参照し、上記入力手段を介して入力された上記情報に基づき、１以上の処方を探索する探索手段とを備えること
を特徴とする処方探索システム。
【請求項２】
上記データベースには、上記探索手段により探索されて以前施された処方及び上記処方を実施した患者による各変化症状と、新たな処方との３段階以上の第２連関度が予め記憶され、
上記入力手段は、以前施された処方を実施した実際の患者による変化症状が入力され、
上記探索手段は、上記データベースに記憶されている第２連関度を参照し、上記入力手段を介して入力された上記変化症状及び以前施された処方に基づき、１以上の新たな処方を探索する探索手段とを備えること
を特徴とする請求項１記載の処方探索システム。
【請求項３】
以前の生活習慣及び以前からの各変化症状と、新たな処方との３段階以上の第２連関度が予め記憶されているデータベースと、
実際に以前施された処方及び当該処方を実施した実際の患者による変化症状が入力される入力手段と、
上記データベースに記憶されている第２連関度を参照し、上記入力手段を介して入力された上記以前施された処方及び上記変化症状に基づき、１以上の新たな処方を探索する探索手段とを備えること
を特徴とする処方探索システム。
【請求項４】
上記データベースには、薄毛、美容、疾患の何れかに関する上記各症状との組み合わせの上記第１連関度が予め記憶されていること
を特徴とする請求項１又は２項記載の処方探索システム。
【請求項５】
上記データベースには、薄毛、美容、疾患の何れかに関する上記各変化症状との組み合わせの上記第２連関度が予め記憶されていること
を特徴とする請求項３記載の処方探索システム。
【請求項６】
上記データベースは、各症状と、各生活習慣並びに各属性情報の何れか１以上との組み合わせと、その処方との関係を新たに取得した場合には、これを上記第１連関度に反映させることで更新すること
を特徴とする請求項１又は２項記載の処方探索システム。
【請求項７】
上記第１連関度はニューラルネットワークで構成されており、
上記データベースは、人工知能を活用することにより、上記第１連関度に上記反映を行うことで更新すること
を特徴とする請求項６記載の花粉症の処方探索システム。
【請求項８】
上記データベースは、以前の生活習慣及び以前からの各変化症状と、新たな処方との関係を取得した場合には、これを上記第２連関度に反映させることで更新すること
を特徴とする請求項３記載の処方探索システム。
【請求項９】
上記第２連関度はニューラルネットワークで構成されており、
上記データベースは、人工知能を活用することにより、上記第２連関度に上記反映を行うことで更新すること
を特徴とする請求項８記載の処方探索システム。
【請求項１０】
各症状と、各生活習慣並びに各属性情報の何れか１以上との組み合わせと、その処方との３段階以上の第１連関度を予め取得する第１連関度取得ステップと、
上記組み合わせを構成する情報が入力される入力ステップと、
上記第１連関度取得ステップにより取得した第１連関度を参照し、上記入力ステップにおいて入力された上記情報に基づき、１以上の処方を探索する探索ステップとをコンピュータに実行させること
を特徴とする処方探索プログラム。
【請求項１１】
上記探索ステップにおいて探索されて以前施された処方及び上記処方を実施した患者による各変化症状と、新たな処方との３段階以上の第２連関度を取得する第２連関度取得ステップと、
以前施された処方を実施した実際の患者による変化症状が入力される変化症状入力ステップと、
上記第２連関度取得ステップにおいて取得した第２連関度を参照し、上記変化症状入力ステップにおいて入力された上記変化症状及び以前施された処方に基づき、１以上の新たな処方を探索する新処方探索ステップとを有すること
を特徴とする請求項１０記載の処方探索プログラム。
【請求項１２】
以前の生活習慣及び以前からの各変化症状と、新たな処方との３段階以上の第２連関度を取得する第２連関度取得ステップと、
実際に以前施された処方及び当該処方を実施した実際の患者による変化症状が入力される変化症状入力ステップと、
上記第２連関度取得ステップにおいて取得した第２連関度を参照し、上記変化症状入力ステップを介して入力された上記以前施された処方及び上記変化症状に基づき、１以上の新たな処方を探索する新処方探索ステップとを有し、上記各ステップをコンピュータにより実行すること
を特徴とする処方探索プログラム。
【請求項１３】
各症状と、各生活習慣並びに各属性情報の何れか１以上との組み合わせと、その処方との３段階以上の第１連関度を予め取得する第１連関度取得ステップと、
上記組み合わせを構成する情報が入力される入力ステップと、
上記第１連関度取得ステップにより取得した第１連関度を参照し、上記入力ステップにおいて入力された上記情報に基づき、１以上の処方を探索する探索ステップとを有し、
上記各ステップをコンピュータが実行すること
を特徴とする処方探索方法。
【請求項１４】
上記探索ステップにおいて探索されて以前施された処方及び上記処方を実施した患者による各変化症状と、新たな処方との３段階以上の第２連関度を取得する第２連関度取得ステップと、
以前施された処方を実施した実際の患者による変化症状が入力される変化症状入力ステップと、
上記第２連関度取得ステップにおいて取得した第２連関度を参照し、上記変化症状入力ステップにおいて入力された上記変化症状及び以前施された処方に基づき、１以上の新たな処方を探索する新処方探索ステップとを有すること
を特徴とする請求項１３記載の処方探索方法。
【請求項１５】
以前の生活習慣及び以前からの各変化症状と、新たな処方との３段階以上の第２連関度を取得する第２連関度取得ステップと、
実際に以前施された処方及び当該処方を実施した実際の患者による変化症状が入力される変化症状入力ステップと、
上記第２連関度取得ステップにおいて取得した第２連関度を参照し、上記変化症状入力ステップを介して入力された上記以前施された処方及び上記変化症状に基づき、１以上の新たな処方を探索する新処方探索ステップとを有し、
上記各ステップをコンピュータが実行すること
を特徴とする処方探索方法。
【発明の詳細な説明】
【技術分野】
【０００１】
本発明は、患者の症状から最適な処方を自動的に探索する上で好適な処方探索システム及び方法、処方探索プログラムに関するものである。
【背景技術】
【０００２】
糖尿病や癌、高血圧等を始めとした各種疾患や薄毛の各種症状に対して最適な処方を提供する試みは従来より各種研究されている。また顔のシミやニキビ、たわみ、肌荒れといった美容に影響する各種症状に対して最適な処方を提供する試みは従来より各種研究されている。
【０００３】
これらの各種症状に対する最適な処方は、患者の食生活に基づく摂取物や、患者の年齢、性別、遺伝等を始めとした属性情報に大きく影響を受ける。このため、各患者ごとに最適な処方を提案するためには、その患者ごとに摂取物や属性情報を検出し、その検出した摂取物や属性情報との関係性を考慮した上で最適な処方を提供する必要がある。
【０００４】
しかしながら、この患者の摂取物や属性情報はそれぞれ多岐に亘るものであり、これらの組み合わせは数百万通りにも及ぶことになり膨大な数に及ぶ。このため、個々の摂取物や属性情報や、その組み合わせに対する最適な処方を人手によりマニュアルで探索することは困難を極めるのが現状であった。
【０００５】
従来においては、患者の属性情報に対して、処方薬の相互作用をチェックする医療支援システムが開示されている（例えば、特許文献１参照。）。また症状に対する処方の適合度について定量化してコンピュータに記憶させ、入力された患者の症状と、当該適合度とに基づいて、患者に対する最適な処方を提案する技術も提案されている（例えば、特許文献２参照。）。
【先行技術文献】
【特許文献】
【０００６】
【特許文献１】特開２００８−１１３８０７号公報
【発明の概要】
【発明が解決しようとする課題】
【０００７】
しかしながら、上述した特許文献１、２の開示技術では、各症状に対する、各摂取物並びに各属性情報の組み合わせに対する最適な処方を提案する点までは開示されていない。このため、上述した特許文献１、２の開示技術を組み合わせただけでは当業者を以ってしても、多岐に亘る患者の摂取物や属性情報に応じた処方を提案することができない。
【０００８】
これに加えて、上述した特許文献１、２の開示技術では、特に薄毛の各種症状や美容に影響する各種症状に対する処方の探索手法については特段開示されていない。
【０００９】
そこで、本発明は上述した問題点に鑑みて案出されたものであり、その目的とするところは、各症状に対する、各摂取物並びに各属性情報の組み合わせに対する最適な処方を提案することができ、特に薄毛の各種症状や美容に影響する各種症状に対する最適な処方も探索することが可能な処方探索システム及び方法、処方探索プログラムを提供することにある。
【課題を解決するための手段】
【００１０】
本発明を適用した処方探索システムは、各症状と、各摂取物並びに各属性情報の何れか１以上との組み合わせと、その処方との３段階以上の第１連関度が予め記憶されているデータベースと、上記組み合わせを構成する情報が入力される入力手段と、上記データベースに記憶されている第１連関度を参照し、上記入力手段を介して入力された上記情報に基づき、１以上の処方を探索する探索手段とを備えることを特徴とする。
【００１１】
本発明を適用した処方探索システムは、以前の生活習慣及び以前からの各変化症状と、新たな処方との３段階以上の第２連関度が予め記憶されているデータベースと、実際に以前施された処方及び当該処方を実施した実際の患者による変化症状が入力される入力手段と、上記データベースに記憶されている第２連関度を参照し、上記入力手段を介して入力された上記以前施された処方及び上記変化症状に基づき、１以上の新たな処方を探索する探索手段とを備えることを特徴とする。
【００１２】
本発明を適用した処方探索プログラムは、各症状と、各摂取物並びに各属性情報の何れか１以上との組み合わせと、その処方との３段階以上の第１連関度を予め取得する第１連関度取得ステップと、上記組み合わせを構成する情報が入力される入力ステップと、上記第１連関度取得ステップにより取得した第１連関度を参照し、上記入力ステップにおいて入力された上記情報に基づき、１以上の処方を探索する探索ステップとをコンピュータに実行させることを特徴とする。
【００１３】
本発明を適用した処方探索プログラムは、以前の生活習慣及び以前からの各変化症状と、新たな処方との３段階以上の第２連関度を取得する第２連関度取得ステップと、実際に以前施された処方及び当該処方を実施した実際の患者による変化症状が入力される変化症状入力ステップと、上記第２連関度取得ステップにおいて取得した第２連関度を参照し、上記変化症状入力ステップを介して入力された上記以前施された処方及び上記変化症状に基づき、１以上の新たな処方を探索する新処方探索ステップとを有し、上記各ステップをコンピュータにより実行することを特徴とする。
【００１４】
本発明を適用した処方探索方法は、各症状と、各摂取物並びに各属性情報の何れか１以上との組み合わせと、その処方との３段階以上の第１連関度を予め取得する第１連関度取得ステップと、上記組み合わせを構成する情報が入力される入力ステップと、上記第１連関度取得ステップにより取得した第１連関度を参照し、上記入力ステップにおいて入力された上記情報に基づき、１以上の処方を探索する探索ステップとを有し、上記各ステップをコンピュータが実行することを特徴とする。
【００１５】
本発明を適用した処方探索方法は、以前の生活習慣及び以前からの各変化症状と、新たな処方との３段階以上の第２連関度を取得する第２連関度取得ステップと、実際に以前施された処方及び当該処方を実施した実際の患者による変化症状が入力される変化症状入力ステップと、上記第２連関度取得ステップにおいて取得した第２連関度を参照し、上記変化症状入力ステップを介して入力された上記以前施された処方及び上記変化症状に基づき、１以上の新たな処方を探索する新処方探索ステップとを有し、上記各ステップをコンピュータが実行することを特徴とする。
【発明の効果】
【００１６】
上述した構成からなる本発明によれば、操作部を介して新たに取得した症状から、第１連関度を参照することで処方を判別することが可能となる。しかも本発明によれば、これらの判別動作を人手を介することなく自動的に行うことが可能となる。これにより、新たに取得した症状から、専門的知識を有するスタッフが解析を行うことに対する人件費と時間を要する必要がなくなる。
【図面の簡単な説明】
【００１７】
【図１】本発明を適用した処方探索システム１の全体構成を示すブロック図である。
【図２】本発明を適用した処方探索システム１を構成する探索装置２のブロック図である。
【図３】疾患（生活習慣病）の各症状と患者への処方との間で３段階以上の第１連関度が予め定義されている例を示す図である。
【図４】疾患（生活習慣病）の複数の症状との組み合わせに対して、１以上の処方が第１連関度を介して関連付けされている例を示す図である。
【図５】疾患（生活習慣病）に関する以前施された処方及びその処方を実施した患者による各変化症状と、新たな処方との３段階以上の第２連関度を示す図である。
【図６】薄毛の各症状と患者への処方との間で３段階以上の第１連関度が予め定義されている例を示す図である。
【図７】薄毛の複数の症状との組み合わせに対して、１以上の処方が第１連関度を介して関連付けされている例を示す図である。
【図８】薄毛に対する以前施された処方及びその処方を実施した患者による各変化症状と、新たな処方との３段階以上の第２連関度を示す図である。
【図９】美容に関する各症状と患者への処方との間で３段階以上の第１連関度が予め定義されている例を示す図である。
【図１０】美容に関する複数の症状との組み合わせに対して、１以上の処方が第１連関度を介して関連付けされている例を示す図である。
【図１１】美容に関する以前施された処方及びその処方を実施した患者による各変化症状と、新たな処方との３段階以上の第２連関度を示す図である。
【発明を実施するための形態】
【００１８】
以下、本発明を適用した処方探索システムについて、図面を参照しながら詳細に説明をする。
【００１９】
図１は、本発明を適用した処方探索システム１の全体構成を示すブロック図である。処方探索システム１は、患者の症状等から最適な処方を、専門家を介することなく自動的に探索するものであり、データベース３と、このデータベース３に接続された探索装置２とを備えている。
【００２０】
データベース３は、患者に対して提供すべき処方に関するデータベースが構築されている。このデータベース３には、公衆通信網を介して送られてきた情報、或いは本システムのユーザによって入力された情報が蓄積される。またデータベース３は、探索装置２からの要求に基づいて、この蓄積した情報を探索装置２へと送信する。データベース３は、人工知能により制御されるものであってもよい。この人工知能はいかなる周知の人工知能技術に基づくものであってもよい。
【００２１】
探索装置２は、例えば、パーソナルコンピュータ（ＰＣ）等を始めとした電子機器で構成されているが、ＰＣ以外に、携帯電話、スマートフォン、タブレット型端末、ウェアラブル端末等、他のあらゆる電子機器で具現化されるものであってもよい。
【００２２】
図２は、探索装置２の具体的な構成例を示している。この探索装置２は、探索装置２全体を制御するための制御部２４と、操作ボタンやキーボード等を介して各種制御用の指令を入力するための操作部２５と、有線通信又は無線通信を行うための通信部２６と、最適な検出アルゴリズム情報を探索する探索部２７と、ハードディスク等に代表され、実行すべき検索を行うためのプログラムを格納するための記憶部２８とが内部バス２１にそれぞれ接続されている。さらに、この内部バス２１には、実際に情報を表示するモニタとしての表示部２３が接続されている。
【００２３】
制御部２４は、内部バス２１を介して制御信号を送信することにより、探索装置２内に実装された各構成要素を制御するためのいわゆる中央制御ユニットである。また、この制御部２４は、操作部２５を介した操作に応じて各種制御用の指令を内部バス２１を介して伝達する。
【００２４】
操作部２５は、キーボードやタッチパネルにより具現化され、プログラムを実行するための実行命令がユーザから入力される。この操作部２５は、上記実行命令がユーザから入力された場合には、これを制御部２４に通知する。この通知を受けた制御部２４は、探索部２７を始め、各構成要素と協調させて所望の処理動作を実行していくこととなる。
【００２５】
また、この操作部２５を介して、更に、実際に処方を施す患者の症状、生活習慣、患者の属性情報及び性格が入力される。ユーザが患者自身である場合には、患者自ら操作部２５を介してこれらの情報を入力し、ユーザが患者に対して助言するコンサルタントであれば、その患者から聞き出した情報をコンサルタントがこの操作部２５を介して入力することとなる。
【００２６】
探索部２７は、操作部２５を介して入力された情報から患者に対して最適な処方を探索する。この探索部２７は、探索動作を実行するに当たり、必要な情報として記憶部２８に記憶されている各種情報を読み出す。この探索部２７は、人工知能により制御されるものであってもよい。この人工知能はいかなる周知の人工知能技術に基づくものであってもよい。
【００２７】
表示部２３は、制御部２４による制御に基づいて表示画像を作り出すグラフィックコントローラにより構成されている。この表示部２３は、例えば、液晶ディスプレイ（ＬＣＤ）等によって実現される。
【００２８】
記憶部２８は、ハードディスクで構成される場合において、制御部２４による制御に基づき、各アドレスに対して所定の情報が書き込まれるとともに、必要に応じてこれが読み出される。また、この記憶部２８には、本発明を実行するためのプログラムが格納されている。このプログラムは制御部２４により読み出されて実行されることになる。
【００２９】
次に、上述した構成からなる処方探索システム１の動作について説明をする。
【００３０】
先ず操作部２５を介して実際に処方を施す患者の症状、生活習慣、属性及び性格が入力される。この入力された情報は、探索部２７、データベース３へと送られる。
【００３１】
探索部２７は、操作部２５から送られてきた情報に基づき、患者に対して最適な処方を探索する。この探索部２７による探索の過程において、データベース３に記憶されている情報を参照する。
【００３２】
このデータベース３には、各症状、各生活習慣、各属性情報及び患者の各性格と、患者への処方との３段階以上の第１連関度が予め記憶されている。この第１連関度は、少なくとも各症状と患者への処方との間で少なくとも関連付けが行われていればよく、各生活習慣、各属性情報及び患者の各性格との間で第１連関度を介して関連付けが行われていることは特段必須とはならない。
【００３３】
疾患の処方探索
図３は、疾患の各症状と患者への処方との間で３段階以上の第１連関度が予め定義されている例を示している。各症状がこの第１連関度を介して左側に配列し、各処方が第１連関度を介して右側に配列している。第１連関度は、左側に配列された症状に対して、何れの処方と関連性が高いかの度合いを示すものである。換言すれば、この連関度は、各症状が、いかなる処方に紐付けられる可能性が高いかを示す指標であり、症状から最適な処方を選択する上での的確性を示すものである。
【００３４】
これに加えて、この第１連関度は、各症状と、摂取物や属性情報との組み合わせに対して、１以上の処方を関連付けするものである。
【００３５】
症状は、疾患各種症状であり、例えば血糖値、ヘモグロビンＡ１ｃの量等の直接的症状も、健康診断におけるそれ以外の各種検査値、体内ミネラル量等の間接的症状も含むものである。これら症状は、各種医療データにあらわされる指標も、医師、患者、評価者等が感覚値として感じた結果（含むＶＡＳ評価）等も含む。
【００３６】
生活習慣は、患者が生活する上で関係するあらゆる事象が含まれる。この生活習慣とは、例えば食生活に関するものであれば、その食事の際に摂取する摂取物や食事の量、食事の時間等が含まれる。ここでいう摂取物は、患者が摂取可能なあらゆるものが含まれ、食物、飲料、サプリメント、薬剤等である。また生活習慣は、睡眠に関するものであれば、睡眠時間、起床時刻、就寝時刻等が含まれる。また、生活習慣は、運動に関するものであれば、運動時間や運動のメニュー等も含まれる。また、生活習慣は、睡眠、入浴、仕事等も含まれる。
【００３７】
患者の属性情報としては、年齢、性別、職業、同居人の有無等、２親等以内に同種の症状の人が要るか否か、或いは医療機関による検診結果等の情報も含まれる。
【００３８】
処方は、いかなる栄養素を摂取するか、いかなる生活習慣とするか、いかなる薬剤を摂取すべきかといった、症状を緩和するあらゆるものが含まれる。また処方は、医療施術も含む。処方は、施すべき処方のスケジュールや治療計画を提示するようにしてもよい。
【００３９】
疾患とは、例えば生活習慣病（高血圧、糖尿病、脂質異常症等）やそれ以外のあらゆる病気を含む。この疾患においては、花粉症を含まないものとしてもよい。この疾患とはアレルギー性の症状も含まれる。以下の例では、この疾患として生活習慣病を例にとり説明をする。
【００４０】
図３の例では、生活習慣病の症状における７５グラムのブドウ糖を飲み２時間後の血糖値が２００（ｍｇ／ｄｌ）未満と、生活習慣（摂取物）における緑黄色野菜の摂取量が６０ｇ未満と、属性における年齢が３０〜４０代との組み合わせのノードＲ、症状におけるヘモグロビンが６．５％以上と、生活習慣（摂取物）における緑黄色野菜の摂取が１２０ｇ以上との組み合わせのノードＳ、症状における空腹時血糖値が１２６(ｍｇ／ｄｌ)未満と、年齢が５０代以上との組み合わせのノードＴがそれぞれ設けられている。そして、このノードＲは、「決まった時間に時間をかけて食事をする」の第１連関度が７０％、「甘いものや脂っぽい食事を避ける」の第１連関度が２０％となっている。またノードＳは、「緑黄色野菜を１２０ｇ以上取る」の第１連関度が７０％、「決まった時間に時間をかけて食事をする」の第１連関度が５０％、「甘いものや脂っぽい食事を避ける」の第１連関度が３０％となっている。ノードＴは、「食物繊維を含む食品を取る」の第１連関度が６０％、「日に３分間以上の運動を行う」の第１連関度が４０％となっている。
【００４１】
このような組み合わせの第１連関度を予め取得しておく。次に探索部２７は、このような第１連関度を参照し、操作部２５を介して新たに入力された症状、生活習慣、属性情報が、第１連関度の左側の何れに該当するかを判別する。仮に操作部２５を介して新たに入力された症状が、７５グラムのブドウ糖を飲み２時間後の血糖値が２００（ｍｇ／ｄｌ）未満であり、摂取物が緑黄色野菜の摂取量が６０ｇ未満であり、属性が年齢が３０〜４０代である場合には、ノードＲに該当するため、かかるノードＲの第１連関度７０％である「決まった時間に時間をかけて食事をする」や、第１連関度２０％である「甘いものや脂っぽい食事を避ける」等を選択することとなる。同様に操作部２５を介して新たに入力された症状がヘモグロビンが６．５％以上であり、摂取物が緑黄色野菜の摂取が１２０ｇ以上である場合には、ノードＳに該当するため、かかるノードＳの第１連関度７０％である「緑黄色野菜を１２０ｇ以上取る」、第１連関度５０％である「決まった時間に時間をかけて食事をする」、第１連関度３０％である「甘いものや脂っぽい食事を避ける」等を選択することとなる。
【００４２】
なお第１連関度は、いわゆる機械学習を通じて更新が可能なモデルで構成されていてもよく、ニューラルネットワークで構成されていてもよい。またこの第１連関度は、深層学習がなされることを前提としたネットワークで構成されていてもよい。
【００４３】
探索部２７は、このようにデータベース３に記憶されている第１連関度を参照し、操作部２５を介して新たに入力された症状、生活習慣、属性情報が、第１連関度の左側に配列された各症状、生活習慣、属性情報の何れに該当するかを判別する。
【００４４】
探索部２７は、操作部２５を介して新たに取得した症状、生活習慣、属性情報に基づき、これら第１連関度を参照することにより、処方を選択する作業を行う。このとき、探索部２７は、最も第１連関度の高い処方を選択するようにしてもよい。上述したように第１連関度が高いほど、その選択の的確性が高くなるためである。しかし、探索部２７は、最も第１連関度の高い処方を選択する場合に限定されることはなく、第１連関度が中程度のもの、又は第１連関度が低いものをあえて選択するようにしてもよい。また、これ以外に症状、生活習慣、属性情報と処方との間で矢印が繋がっていない第１連関度が０％である処方を選択してもよいことは勿論である。探索部２７は、この処方を一つ選択する場合に限定されるものではなく、第１連関度を参照した上であえて複数の処方を選択するようにしてもよい。探索部２７によって探索された処方は、表示部２３を介して表示される。
【００４５】
なお、この図３に挙げられている症状、生活習慣、属性情報、処方の各項目は一例であり、症状、生活習慣、属性情報、処方に該当するものであれば上述した処理動作を実行してもよいことは勿論である。
【００４６】
即ち、本発明を適用した処方探索システム１によれば、操作部２５を介して新たに取得した症状から、上述した第１連関度を参照することで処方を判別することが可能となる。しかも本発明を適用した処方探索システム１によれば、これらの判別動作を人手を介することなく自動的に行うことが可能となる。これにより、新たに取得した症状から、専門的知識を有するスタッフが解析を行うことに対する人件費と時間を要する必要がなくなる。
【００４７】
また、本発明を適用した処方探索システム１では、３段階以上に設定されている第１連関度を介して処方の探索を行う点に特徴がある。第１連関度は、例えば０〜１００％までの数値で記述することができるが、これに限定されるものではなく３段階以上の数値で記述できるものであればいかなる段階で構成されていてもよい。
【００４８】
このような３段階以上の数値で表される第１連関度に基づいて探索することで、複数の処方が選ばれる状況下において、当該連関度の高い順に探索して表示することも可能となる。このように第１連関度の高い順にユーザに表示できれば、より可能性の高い処方を優先的に選択して表示することもできる。一方、第１連関度の低い処方であってもセカンドオピニオンという意味で、そこから特定される処方を表示することができ、ファーストオピニオンにおいて表示された処方で症状が改善されない場合等において有用性を発揮することができる。
【００４９】
これに加えて、本発明によれば、第１連関度が１％のような極めて低い処方も見逃すことなく判断することができる。第１連関度が極めて低い処方であっても僅かな兆候として繋がっているものであり、何十回、何百回に一度は、有益な処方として役に立つ場合もあることをユーザに対して注意喚起することができる。
【００５０】
更に本発明によれば、このような３段階以上の第１連関度に基づいて探索を行うことにより、閾値の設定の仕方で、探索方針を決めることができるメリットがある。閾値を低くすれば、上述した第１連関度が１％の処方であっても漏れなく拾うことができる反面、正解の可能性が低い第１連関度に基づく処方を沢山拾ってしまう場合もある。一方、閾値を高くすれば、正解の可能性が高い処方のみ絞り込むことができる反面、何十回、何百回に一度は好適な解を示す処方を見落としてしまう場合もある。いずれに重きを置くかは、ユーザ側、システム側の考え方に基づいて決めることが可能となるが、このような重点を置くポイントを選ぶ自由度を高くすることが可能となる。
【００５１】
更に本発明では、上述した第１連関度を更新させるようにしてもよい。つまり、図３に示すような症状と、処方とを随時更新していく。この更新は、例えばインターネットを始めとした公衆通信網を介して提供された情報を反映させるようにしてもよい。また、専門家による研究データや論文、学会発表や、新聞記事、書籍等の内容に基づいてシステム側又はユーザ側が人為的に、又は自動的に更新するようにしてもよい。これらの更新処理においては人工知能を活用するようにしてもよい。
【００５２】
この第１連関度の更新は、症状と、それに対する処方との関係性に関する情報が入る都度、第１連関度を上昇させ、或いは下降させる。例えば、ある症状に対してある処方が効くことが論文や学会発表、その他実験的検証に基づく研究データ等を通じて新たに確認できた場合、その症状と処方との連関度を上昇させる。また、ある症状に対して、ある処方が効かないことが論文や学会発表、その他実験的検証に基づく研究データ等を通じて新たに確認できた場合、その症状と処方との第１連関度を下降させる。
【００５３】
第１連関度は、上述したように３段階以上とされていることで、このような第１連関度の上昇させたい場合、又は下降させたい場合に自在に対応することが可能となる。この第１連関度の更新そのものを上述した機械学習、深層学習を通じて行うようにしてもよい。
【００５４】
さらに今までに無い新たな症状が発見された場合、或いは今までに無い新たな処方が発見された場合、これらの間に新たに第１連関度を設定するようにしてもよい。そして、これらの新たな症状や処方に対する第１連関度を上述の如く更新させるようにしてもよい。
【００５５】
なお、第１連関度は、上述した実施の形態に限定されるものではない。図４の例では、複数の症状の組み合わせに対するノードＵに対する第１連関度を定義したものである。即ち、このノードＵは、空腹時血糖値、７５グラムのブドウ糖を飲み２時間後の血糖値、随時血糖値、ヘモグロビンのうち２以上が繋がっている。このノードＵには、更に生活習慣（摂取物）や属性も繋がっている。このノードＵに対する新たな処方がそれぞれ第１連関度を通じて関連付けされている。
【００５６】
ちなみに、症状以外に、２以上の生活習慣（摂取物）の組み合わせや、２以上の属性情報の組み合わせが、ノードに関連付けされていてもよい。
【００５７】
また、本発明によれば、以前施された処方及びその処方を実施した患者による各変化症状と、新たな処方との３段階以上の第２連関度が予め記憶されているデータベース３を参照するようにしてもよい。この第２連関度は、例えばニューラルネットワーク等で構成されている。
【００５８】
ここでいう以前施された処方は、本発明を適用した処方探索システム１を通じて探索された処方であるか否かに係わらず、患者に対して以前施されたあらゆる処方を含むものである。以前施された処方は、症状を改善するための食事や生活習慣に関するものであれば他のいかなる項目も含まれる。この以前施された処方としては、他に処方薬の薬名や手術、摂取したサプリメントの名前や摂取頻度、改善した生活態様等も含まれる。
【００５９】
ここでいう変化症状は処方を実施することで変化した症状を示す。この変化症状は、処方実施前と比較して改善された症状以外に、悪化した症状、あるいは以前と何ら変わりない症状も含まれる。
【００６０】
このような操作部２５を介して以前施された処方及びその処方を実施した患者による各変化症状が入力される。この入力された情報は、探索部２７、データベース３へと送られる。
【００６１】
探索部２７は、操作部２５から送られてきた情報に基づき、患者に対して新たな処方を探索する。この探索部２７による探索の過程において、データベース３に記憶されている情報を参照する。
【００６２】
このデータベース３には、上述した第２連関度が予め記憶されている。第２連関度は、左側に配列された以前施された各処方及び各変化症状の組み合わせに対して、何れの新たな処方と関連性が高いかの度合いを示すものである。換言すれば、この第２連関度は、以前施された各処方及び各変化症状の組み合わせが、いかなる新たな処方に紐付けられる可能性が高いかを示す指標であり、症状から最適な処方を選択する上での的確性を示すものである。
【００６３】
図５は、この第２連関度の例を示している。以前施された各処方及び各変化症状がこの第２連関度を介して左側に配列し、新たな各処方が第２連関度を介して右側に配列している。
【００６４】
図５の例では、以前施された処方として「甘いものや脂っぽい食事を避ける」、「日に３分間以上の運動を行う」、並びに変化症状として空腹時血糖値１２６（ｍｇ／ｄｌ）以上のノードＶ、以前施された処方として「一口３０回噛む」、「日に３分以上の運動を行う」、変化症状として空腹時血糖値１２６（ｍｇ／ｄｌ）未満、ヘモグロビン６．５％以上のノードＷがそれぞれ設けられている。そして、このノードＶは、新たな処方である「緑黄色野菜を１２０ｇ以上取る」の第２連関度が７０％、「決まった時間に時間をかけて食事をする」の第２連関度が４０％となっている。またノードＷは、新たな処方である「食物繊維を含む食品を取る」の第２連関度が８０％、「日に３分間以上の運動を行う」の第２連関度が３０％となっている。
【００６５】
このような組み合わせの第２連関度を予め取得しておく。次に探索部２７は、このような第２連関度を参照し、操作部２５を介して新たに入力された、以前施された処方及びその処方を実施した患者による各変化症状が、第２連関度の左側に配列された各項目の何れに該当するかを判別する。仮に操作部２５を介して入力された、以前施された処方が「一口３０回噛む」、「日に３分以上の運動を行う」、変化症状として空腹時血糖値１２６（ｍｇ／ｄｌ）未満、ヘモグロビン６．５％以上である場合は、ノードＷに該当する。かかる場合には、ノードＷの第２連関度を参照した上で新たな処方として「食物繊維を含む食品を取る」、「日に３分間以上の運動を行う」等を選択していくこととなる。
【００６６】
このように、以前施された処方及びその処方を実施した患者による各変化症状に基づいて、新たな処方を自動的に探索することが可能となる。このため、患者の症状を継続的に観察し、これに応じた最適な処方を選択することができる。以前施された処方が比較的強いものである場合であって、その後の患者の症状が改善された場合には、以前よりも弱い処方に切り替える等、適時ベストな処方を提案し続けることが可能となる。
【００６７】
ちなみに、この第２連関度についても同様に更新させるようにしてもよい。つまり、図５に示すような以前施された処方及び各変化症状と新たな処方とを随時更新していく。この更新は、例えばインターネットを始めとした公衆通信網を介して提供された情報を反映させるようにしてもよい。また、専門家による研究データや論文、学会発表や、新聞記事、書籍等の内容に基づいてシステム側又はユーザ側が人為的に、又は自動的に更新するようにしてもよい。これらの更新処理においては人工知能を活用するようにしてもよい。
【００６８】
また、この第２連関度は、これら以前施された処方及び各変化症状以外に、上述した摂取物、属性情報、生活習慣、性格、外部情報の何れか１以上と組み合わせて処方との関連付けが行われていてもよいことは勿論である。
【００６９】
更にこの第２連関度の処理動作は、上述した第１連関度の処理動作に基づいて探索されて以前施された処方並びにその処方に基づいて変化した症状が入力される場合に限定されるものではなく、これとは無関係の以前施された処方が入力されるものであってもよい。かかる場合には、以前の処方よりも更に範囲を拡大させて、以前の生活習慣までも含めて参照するようにしてもよい。以前の生活習慣とは、現在に至るまでの生活習慣の履歴情報で構成されていてもよいし、以前のある時点において断続的に検知した生活習慣であってもよい。変化症状も同様に、現在に至るまでの症状の変化履歴で構成されていてもよいし、以前のある時点において断続的に検知した症状であってもよい。
【００７０】
発毛の処方探索
図６は、発毛の各症状と患者への処方との間で３段階以上の第１連関度が予め定義されている例を示している。各症状がこの第１連関度を介して左側に配列し、各処方が第１連関度を介して右側に配列している。第１連関度は、左側に配列された症状に対して、何れの処方と関連性が高いかの度合いを示すものである。
【００７１】
これに加えて、この第１連関度は、各症状と、生活習慣や属性情報との組み合わせに対して、１以上の処方を関連付けするものである。
【００７２】
症状は、薄毛の各種症状であり、例えば脱毛範囲、毛根症状、抜け毛の本数等の直接的症状も、頭皮状態、体内ミネラル量等の間接的症状も含むものである。これら症状は、各種医療データに表される指標も、医師、患者、評価者等が感覚値として感じた結果（含むＶＡＳ評価）等も含む。
【００７３】
生活習慣は、患者が生活する上で関係するあらゆる事象が含まれる。この生活習慣とは、例えば食生活に関するものであれば、その食事の際に摂取する摂取物や食事の量、食事の時間等が含まれる。ここでいう摂取物は、患者が摂取可能なあらゆるものが含まれ、食物、飲料、サプリメント、薬剤等である。また生活習慣は、睡眠に関するものであれば、睡眠時間、起床時刻、就寝時刻等が含まれる。また、生活習慣は、運動に関するものであれば、運動時間や運動のメニュー等も含まれる。また、生活習慣はヘアケアであれば、シャンプーやトニック等による髪や頭皮の手入れ、紫外線防止対策、マッサージ等も含まれる。
【００７４】
患者の属性情報としては、年齢、性別、職業、同居人の有無等、２親等以内に同種の症状の人が要るか否か、或いは医療機関による検診結果等の情報も含まれる。
【００７５】
処方は、いかなる栄養素を摂取するか、いかなる生活習慣とするか、いかなる薬剤を摂取すべきかといった、症状を緩和するあらゆるものが含まれる。また処方は、医療施術も含む。処方は、施すべき処方のスケジュールや治療計画を提示するようにしてもよい。
【００７６】
図６の例では、薄毛の症状における毛根症状が男性型脱毛と、生活習慣（摂取物）におけるタンパク質の量が少ない場合と、属性情報における薄毛遺伝が親族に薄毛者がいる場合との組み合わせのノードＲ、症状における毛根症状が脂漏性脱毛と、生活習慣（摂取物）におけるタンパク質の量が多い場合との組み合わせのノードＳ、症状における脱毛範囲がハミルトン分類ＹＹＹと、属性情報における薄毛遺伝が親族に薄毛者がいない場合との組み合わせのノードＴがそれぞれ設けられている。そして、このノードＲは、「赤身肉類の摂取量を増やす」の第１連関度が７０％、「選択洗浄性シャンプーを３分／日こする」の第１連関度が２０％となっている。またノードＳは、「サイトカイン集合体導入０．１ｍｇ／回」の第１連関度が７０％、「アミノ酸栄養系サプリメント２ｇ／日」の第１連関度が５０％、「選択洗浄性シャンプーを３分／日こする」の第１連関度が３０％となっている。ノードＴは、「エタノール系とニックを２分／日」の第１連関度が６０％、「赤身肉類の摂取量を増やす」の第１連関度が４０％となっている。
【００７７】
このような組み合わせの第１連関度を予め取得しておく。次に探索部２７は、このような第１連関度を参照し、操作部２５を介して新たに入力された症状、生活習慣、属性情報が、第１連関度の左側の何れに該当するかを判別する。仮に操作部２５を介して新たに入力された症状が、薄毛の症状における毛根症状が男性型脱毛であり、生活習慣（摂取物）におけるタンパク質の量が少なく、属性情報における薄毛遺伝が親族に薄毛者がいる場合には、ノードＲに該当するため、かかるノードＲの第１連関度７０％である「赤身肉類の摂取量を増やす」や、第１連関度２０％である「選択洗浄性シャンプーを３分／日こする」等を選択することとなる。
【００７８】
なお、この図６に挙げられている症状、生活習慣、属性情報、処方の各項目は一例であり、症状、生活習慣、属性情報、処方に該当するものであれば上述した処理動作を実行してもよいことは勿論である。
【００７９】
なお、第１連関度は、上述した実施の形態に限定されるものではない。図７の例では、複数の症状の組み合わせに対するノードＵに対する第１連関度を定義したものである。即ち、このノードＵは、脱毛範囲がハミルトン分類ＸＸＸ型、毛根症状がひこう性脱毛、生活習慣（摂取物）におけるタンパク質の量が多い、属性情報における薄毛遺伝が親族に薄毛者がいない、が繋がっている。即ち、ノードＵに対して２以上の症状が繋がっている。
【００８０】
ちなみに、症状以外に、２以上の生活習慣（摂取物）の組み合わせや、２以上の属性情報の組み合わせが、ノードＵに関連付けされていてもよい。
【００８１】
また、本発明によれば、以前施された処方及びその処方を実施した患者による各変化症状と、新たな処方との３段階以上の第２連関度が予め記憶されているデータベース３を参照するようにしてもよい。
【００８２】
なお、本実施形態においては、いわゆる生活習慣病に限定されるものではなく、あらゆる疾患に対する処方を探索する場合も同様に行うことができる。
【００８３】
図８は、この第２連関度の例を示している。以前施された各処方及び各変化症状がこの第２連関度を介して左側に配列し、新たな各処方が第２連関度を介して右側に配列している。
【００８４】
図８の例では、以前施された処方として「サイトカイン集合体導入０．１ｍｇ／回」、「赤身肉類の摂取量を増やす」、変化症状として脱毛範囲「ハミルトン分類ＸＸＸ型」がそれぞれリンクするノードＶ、以前施された処方として「選択洗浄性シャンプーを３分／日こすり洗い」、「赤身肉類の摂取量を増やす」、変化症状として毛根症状「脂漏性脱毛」がそれぞれリンクするノードＷがそれぞれ設けられている。そして、このノードＶは、新たな処方である「サイトカイン集合体導入０．１ｍｇ／回」の第２連関度が７０％、「アミノ酸栄養系サプリメント２ｇ／日」の第２連関度が４０％となっている。またノードＷは、新たな処方である「選択洗浄性シャンプーを３分／日こする」の第２連関度が８０％、「日に３分間以上の運動を行う」の第２連関度が３０％となっている。
【００８５】
このような組み合わせの第２連関度を予め取得しておく。次に探索部２７は、このような第２連関度を参照し、操作部２５を介して新たに入力された、以前施された処方及びその処方を実施した患者による各変化症状が、第２連関度の左側に配列された各項目の何れに該当するかを判別する。仮に操作部２５を介して入力された、以前施された処方が「選択洗浄性シャンプーを３分／日こすり洗い」、「赤身肉類の摂取量を増やす」、変化症状として脱毛範囲がハミルトン分類ＹＹＹ、毛根症状が脂漏性脱毛である場合は、ノードＷに該当する。かかる場合には、ノードＷの第２連関度を参照した上で新たな処方として「選択洗浄性シャンプーを３分／日こすり洗い」、「日に３分間以上の運動を行う」等を選択していくこととなる。
【００８６】
ちなみに、この第２連関度についても同様に更新させるようにしてもよい。つまり、図５に示すような以前施された処方及び各変化症状と新たな処方とを随時更新していく。この更新は、例えばインターネットを始めとした公衆通信網を介して提供された情報を反映させるようにしてもよい。また、専門家による研究データや論文、学会発表や、新聞記事、書籍等の内容に基づいてシステム側又はユーザ側が人為的に、又は自動的に更新するようにしてもよい。これらの更新処理においては人工知能を活用するようにしてもよい。
【００８７】
また、この第２連関度は、これら以前施された処方及び各変化症状以外に、上述した摂取物、属性情報、生活習慣、性格、外部情報の何れか１以上と組み合わせて処方との関連付けが行われていてもよいことは勿論である。
【００８８】
更にこの第２連関度の処理動作は、上述した第１連関度の処理動作に基づいて探索されて以前施された処方並びにその処方に基づいて変化した症状が入力される場合に限定されるものではなく、これとは無関係の以前施された処方が入力されるものであってもよい。かかる場合には、以前の処方よりも更に範囲を拡大させて、以前の生活習慣までも含めて参照するようにしてもよい。以前の生活習慣とは、現在に至るまでの生活習慣の履歴情報で構成されていてもよいし、以前のある時点において断続的に検知した生活習慣であってもよい。変化症状も同様に、現在に至るまでの症状の変化履歴で構成されていてもよいし、以前のある時点において断続的に検知した症状であってもよい。
【００８９】
美容に対する処方探索
図９は、美容に関する各症状と処方との間で３段階以上の第１連関度が予め定義されている例を示している。各症状がこの第１連関度を介して左側に配列し、各処方が第１連関度を介して右側に配列している。第１連関度は、左側に配列された症状に対して、何れの処方と関連性が高いかの度合いを示すものである。
【００９０】
これに加えて、この第１連関度は、各症状と、生活習慣や属性情報との組み合わせに対して、１以上の処方を関連付けするものである。
【００９１】
症状は、美容に関する各種症状であり、例えば顔のくすみ、顔のしわ、顔のシミ等の直接的症状も、肌の水分量、体内ミネラル量等の間接的症状も含むものである。これら症状は、各種医療データにあらわされる指標も、医師、患者、評価者等が感覚値として感じた結果（含むＶＡＳ評価）等も含む。
【００９２】
生活習慣は、患者が生活する上で関係するあらゆる事象が含まれる。この生活習慣とは、例えば食生活に関するものであれば、その食事の際に摂取する摂取物や食事の量、食事の時間等が含まれる。ここでいう摂取物は、患者が摂取可能なあらゆるものが含まれ、食物、飲料、サプリメント、薬剤等である。また生活習慣は、睡眠に関するものであれば、睡眠時間、起床時刻、就寝時刻等が含まれる。また、生活習慣は、運動に関するものであれば、運動時間や運動のメニュー等も含まれる。また、生活習慣はスキンケアであれば、美容液による肌の手入れ、紫外線防止対策、クレンジング、マッサージ等も含まれる。
【００９３】
患者の属性情報としては、年齢、職業、同居人の有無等、２親等以内に同種の症状の人が要るか否か、或いは医療機関による検診結果等の情報も含まれる。
【００９４】
処方は、いかなる栄養素を摂取するか、いかなる生活習慣とするか、いかなる薬剤を摂取すべきかといった、症状を緩和するあらゆるものが含まれる。また処方は、医療施術も含む。処方は、施すべき処方のスケジュールや治療計画を提示するようにしてもよい。
【００９５】
図９の例では、症状における顔のくすみがレベル３である場合と、生活習慣（摂取物）におけるタンパク質の量が少ない場合と、属性における年齢が３０〜４０代との組み合わせのノードＲ、症状における顔のしわがレベル２である場合と、生活習慣（摂取物）におけるタンパク質が多い場合との組み合わせのノードＳと、症状における顔のくすみがレベル２である場合と、属性情報における年齢が５０代以上との組み合わせのノードＴがそれぞれ設けられている。そして、このノードＲは、「日に３分間以上の運動を行う」の第１連関度が７０％、「保湿系美容液３ｍｇ／日」の第１連関度が２０％となっている。またノードＳは、「サイトカイン集合体導入０．１ｍｇ／回」の第１連関度が７０％、「赤身肉類の摂取量を増やす」の第１連関度が５０％、「保湿形美容液３ｍｇ／日」の第１連関度が３０％となっている。ノードＴは、「アミノ酸栄養系サプリメント２ｇ／日」の第１連関度が６０％、「日に３分間以上の運動を行う」の第１連関度が４０％となっている。
【００９６】
このような組み合わせの第１連関度を予め取得しておく。次に探索部２７は、このような第１連関度を参照し、操作部２５を介して新たに入力された症状、生活習慣、属性情報が、第１連関度の左側の何れに該当するかを判別する。仮に操作部２５を介して新たに入力された症状が、美容に対する症状における顔のくすみがレベル３であり、生活習慣（摂取物）におけるタンパク質の量が少なく、属性における年齢が３０〜４０代である場合には、ノードＲに該当するため、かかるノードＲの第１連関度７０％である「日に３分間以上の運動を行う」や、第１連関度２０％である「保湿系美容液３ｍｇ／日」等を選択することとなる。
【００９７】
なお、この図９に挙げられている症状、生活習慣、属性情報、処方の各項目は一例であり、症状、生活習慣、属性情報、処方に該当するものであれば上述した処理動作を実行してもよいことは勿論である。
【００９８】
なお、第１連関度は、上述した実施の形態に限定されるものではない。図１０の例では、複数の症状の組み合わせに対するノードＵに対する第１連関度を定義したものである。即ち、このノードＵは、顔のくすみがレベル１、顔のしわがレベル２、生活習慣（摂取物）におけるタンパク質の量が多い、属性情報における年齢が５０代以上、が繋がっている。即ち、ノードＵに対して２以上の症状が繋がっている。
【００９９】
ちなみに、症状以外に、２以上の生活習慣の組み合わせや、２以上の属性情報の組み合わせが、ノードＵに関連付けされていてもよい。
【０１００】
また、本発明によれば、以前施された処方及びその処方を実施した患者による各変化症状と、新たな処方との３段階以上の第２連関度が予め記憶されているデータベース３を参照するようにしてもよい。
【０１０１】
図１１は、この第２連関度の例を示している。以前施された各処方及び各変化症状がこの第２連関度を介して左側に配列し、新たな各処方が第２連関度を介して右側に配列している。
【０１０２】
図１１の例では、以前施された処方として「サイトカイン集合体導入０．１ｍｇ／回」、「赤身肉類の摂取量を増やす」、変化症状として顔のくすみがレベル１、がそれぞれリンクするノードＶ、以前施された処方として「保湿系美容液３ｍｇ／ｌ」、「赤身肉類の摂取量を増やす」、顔のくすみがレベル２、顔のしわがレベル２、がそれぞれリンクするノードＷがそれぞれ設けられている。そして、このノードＶは、新たな処方である「サイトカイン集合体導入０．１ｍｇ／回」の第２連関度が７０％、「イソフラボン系サプリメント１ｇ／日」の第２連関度が４０％となっている。またノードＷは、新たな処方である「保湿系美容液３ｍｇ／日」の第２連関度が８０％、「日に３分間以上の運動を行う」の第２連関度が３０％となっている。
【０１０３】
このような組み合わせの第２連関度を予め取得しておく。次に探索部２７は、このような第２連関度を参照し、操作部２５を介して新たに入力された、以前施された処方及びその処方を実施した患者による各変化症状が、第２連関度の左側に配列された各項目の何れに該当するかを判別する。仮に操作部２５を介して入力された、以前施された処方が「保湿系美容液３ｍｇ／ｌ」、「赤身肉類の摂取量を増やす」、変化症状における顔のくすみがレベル２、顔のしわがレベル２である場合は、ノードＷに該当する。かかる場合には、ノードＷの第２連関度を参照した上で新たな処方として「保湿系美容液３ｍｇ／日」、「日に３分間以上の運動を行う」等を選択していくこととなる。
【０１０４】
ちなみに、この第２連関度についても同様に更新させるようにしてもよい。つまり、図５に示すような以前施された処方及び各変化症状と新たな処方とを随時更新していく。この更新は、例えばインターネットを始めとした公衆通信網を介して提供された情報を反映させるようにしてもよい。また、専門家による研究データや論文、学会発表や、新聞記事、書籍等の内容に基づいてシステム側又はユーザ側が人為的に、又は自動的に更新するようにしてもよい。これらの更新処理においては人工知能を活用するようにしてもよい。
【０１０５】
また、この第２連関度は、これら以前施された処方及び各変化症状以外に、上述した摂取物、属性情報、生活習慣、性格、外部情報の何れか１以上と組み合わせて処方との関連付けが行われていてもよいことは勿論である。
【０１０６】
更にこの第２連関度の処理動作は、上述した第１連関度の処理動作に基づいて探索されて以前施された処方並びにその処方に基づいて変化した症状が入力される場合に限定されるものではなく、これとは無関係の以前施された処方が入力されるものであってもよい。かかる場合には、以前の処方よりも更に範囲を拡大させて、以前の生活習慣までも含めて参照するようにしてもよい。以前の生活習慣とは、現在に至るまでの生活習慣の履歴情報で構成されていてもよいし、以前のある時点において断続的に検知した生活習慣であってもよい。変化症状も同様に、現在に至るまでの症状の変化履歴で構成されていてもよいし、以前のある時点において断続的に検知した症状であってもよい。
【符号の説明】
【０１０７】
１  処方探索システム
３  データベース
２１  内部バス
２３  表示部
２４  制御部
２５  操作部
２６  通信部
２７  探索部
２８  記憶部
【図１】
2019113949.tif 000003
【図２】
2019113949.tif 000004
【図３】
2019113949.tif 000005
【図４】
2019113949.tif 000006
【図５】
2019113949.tif 000007
【図６】
2019113949.tif 000008
【図７】
2019113949.tif 000009
【図８】
2019113949.tif 000010
【図９】
2019113949.tif 000011
【図１０】
2019113949.tif 000012
【図１１】
2019113949.tif 000013
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
各症状と、各生活習慣並びに各属性情報の何れか１以上との組み合わせと、その処方との３段階以上の第１連関度が予め記憶されているデータベースと、
上記組み合わせを構成する情報が入力される入力手段と、
上記データベースに記憶されている第１連関度を参照し、上記入力手段を介して入力された上記情報に基づき、１以上の処方を探索する探索手段とを備え、
上記データベースには、上記探索手段により探索されて以前施された処方及び上記処方を実施した患者による各変化症状と、新たな処方との３段階以上の第２連関度が予め記憶され、
上記入力手段は、以前施された処方を実施した実際の患者による変化症状が入力され、
上記探索手段は、上記データベースに記憶されている第２連関度を参照し、上記入力手段を介して入力された上記変化症状及び以前施された処方に基づき、１以上の新たな処方を探索する探索手段とを備えること
を特徴とする処方探索システム。
【請求項２】
以前の生活習慣及び以前からの各変化症状と、新たな処方との３段階以上の第２連関度が予め記憶されているデータベースと、
実際に以前の生活習慣及び当該生活習慣を実施した実際の患者による変化症状が入力される入力手段と、
上記データベースに記憶されている第２連関度を参照し、上記入力手段を介して入力された上記以前の生活習慣及び上記変化症状に基づき、１以上の新たな処方を探索する探索手段とを備えること
を特徴とする処方探索システム。
【請求項３】
上記データベースには、薄毛、美容、疾患の何れかに関する上記各症状との組み合わせの上記第１連関度が予め記憶されていること
を特徴とする請求項１項記載の処方探索システム。
【請求項４】
上記データベースには、薄毛、美容、疾患の何れかに関する上記各変化症状との組み合わせの上記第２連関度が予め記憶されていること
を特徴とする請求項２記載の処方探索システム。
【請求項５】
上記データベースは、各症状と、各生活習慣並びに各属性情報の何れか１以上との組み合わせと、その処方との関係を新たに取得した場合には、これを上記第１連関度に反映させることで更新すること
を特徴とする請求項１項記載の処方探索システム。
【請求項６】
上記第１連関度はニューラルネットワークで構成されており、
上記データベースは、人工知能を活用することにより、上記第１連関度に上記反映を行うことで更新すること
を特徴とする請求項５記載の処方探索システム。
【請求項７】
上記データベースは、以前の生活習慣及び以前からの各変化症状と、新たな処方との関係を取得した場合には、これを上記第２連関度に反映させることで更新すること
を特徴とする請求項２記載の処方探索システム。
【請求項８】
上記第２連関度はニューラルネットワークで構成されており、
上記データベースは、人工知能を活用することにより、上記第２連関度に上記反映を行うことで更新すること
を特徴とする請求項７記載の処方探索システム。
【請求項９】
各症状と、各生活習慣並びに各属性情報の何れか１以上との組み合わせと、その処方との３段階以上の第１連関度を予め取得する第１連関度取得ステップと、
上記組み合わせを構成する情報が入力される入力ステップと、
上記第１連関度取得ステップにより取得した第１連関度を参照し、上記入力ステップにおいて入力された上記情報に基づき、１以上の処方を探索する探索ステップと、
上記探索ステップにおいて探索されて以前施された処方及び上記処方を実施した患者による各変化症状と、新たな処方との３段階以上の第２連関度を取得する第２連関度取得ステップと、
以前施された処方を実施した実際の患者による変化症状が入力される変化症状入力ステップと、
上記第２連関度取得ステップにおいて取得した第２連関度を参照し、上記変化症状入力ステップにおいて入力された上記変化症状及び以前施された処方に基づき、１以上の新たな処方を探索する新処方探索ステップとをコンピュータに実行させること
を特徴とする処方探索プログラム。
【請求項１０】
以前の生活習慣及び以前からの各変化症状と、新たな処方との３段階以上の第２連関度を取得する第２連関度取得ステップと、
実際に以前の生活習慣及び当該生活習慣を実施した実際の患者による変化症状が入力される変化症状入力ステップと、
上記第２連関度取得ステップにおいて取得した第２連関度を参照し、上記変化症状入力ステップを介して入力された上記以前の生活習慣及び上記変化症状に基づき、１以上の新たな処方を探索する新処方探索ステップとを有し、上記各ステップをコンピュータにより実行すること
を特徴とする処方探索プログラム。
【請求項１１】
各症状と、各生活習慣並びに各属性情報の何れか１以上との組み合わせと、その処方との３段階以上の第１連関度を予め取得する第１連関度取得ステップと、
上記組み合わせを構成する情報が入力される入力ステップと、
上記第１連関度取得ステップにより取得した第１連関度を参照し、上記入力ステップにおいて入力された上記情報に基づき、１以上の処方を探索する探索ステップと、
上記探索ステップにおいて探索されて以前施された処方及び上記処方を実施した患者による各変化症状と、新たな処方との３段階以上の第２連関度を取得する第２連関度取得ステップと、
以前施された処方を実施した実際の患者による変化症状が入力される変化症状入力ステップと、
上記第２連関度取得ステップにおいて取得した第２連関度を参照し、上記変化症状入力ステップにおいて入力された上記変化症状及び以前施された処方に基づき、１以上の新たな処方を探索する新処方探索ステップとを有し、
上記各ステップをコンピュータが実行すること
を特徴とする処方探索方法。
【請求項１２】
以前の生活習慣及び以前からの各変化症状と、新たな処方との３段階以上の第２連関度を取得する第２連関度取得ステップと、
実際に以前の生活習慣及び当該生活習慣を実施した実際の患者による変化症状が入力される変化症状入力ステップと、
上記第２連関度取得ステップにおいて取得した第２連関度を参照し、上記変化症状入力ステップを介して入力された上記以前の生活習慣及び上記変化症状に基づき、１以上の新たな処方を探索する新処方探索ステップとを有し、
上記各ステップをコンピュータが実行すること
を特徴とする処方探索方法。
【手続補正２】
【補正対象書類名】明細書
【補正対象項目名】００１０
【補正方法】変更
【補正の内容】
【００１０】
本発明を適用した処方探索システムは、各症状と、各生活習慣並びに各属性情報の何れか１以上との組み合わせと、その処方との３段階以上の第１連関度が予め記憶されているデータベースと、上記組み合わせを構成する情報が入力される入力手段と、上記データベースに記憶されている第１連関度を参照し、上記入力手段を介して入力された上記情報に基づき、１以上の処方を探索する探索手段とを備え、上記データベースには、上記探索手段により探索されて以前施された処方及び上記処方を実施した患者による各変化症状と、新たな処方との３段階以上の第２連関度が予め記憶され、上記入力手段は、以前施された処方を実施した実際の患者による変化症状が入力され、上記探索手段は、上記データベースに記憶されている第２連関度を参照し、上記入力手段を介して入力された上記変化症状及び以前施された処方に基づき、１以上の新たな処方を探索する探索手段とを備えることを特徴とする。
【手続補正３】
【補正対象書類名】明細書
【補正対象項目名】００１１
【補正方法】変更
【補正の内容】
【００１１】
本発明を適用した処方探索システムは、以前の生活習慣及び以前からの各変化症状と、新たな処方との３段階以上の第２連関度が予め記憶されているデータベースと、実際に以前の生活習慣及び当該生活習慣を実施した実際の患者による変化症状が入力される入力手段と、上記データベースに記憶されている第２連関度を参照し、上記入力手段を介して入力された上記以前の生活習慣及び上記変化症状に基づき、１以上の新たな処方を探索する探索手段とを備えることを特徴とする。
【手続補正４】
【補正対象書類名】明細書
【補正対象項目名】００１２
【補正方法】変更
【補正の内容】
【００１２】
本発明を適用した処方探索プログラムは、各症状と、各生活習慣並びに各属性情報の何れか１以上との組み合わせと、その処方との３段階以上の第１連関度を予め取得する第１連関度取得ステップと、上記組み合わせを構成する情報が入力される入力ステップと、上記第１連関度取得ステップにより取得した第１連関度を参照し、上記入力ステップにおいて入力された上記情報に基づき、１以上の処方を探索する探索ステップと、上記探索ステップにおいて探索されて以前施された処方及び上記処方を実施した患者による各変化症状と、新たな処方との３段階以上の第２連関度を取得する第２連関度取得ステップと、以前施された処方を実施した実際の患者による変化症状が入力される変化症状入力ステップと、上記第２連関度取得ステップにおいて取得した第２連関度を参照し、上記変化症状入力ステップにおいて入力された上記変化症状及び以前施された処方に基づき、１以上の新たな処方を探索する新処方探索ステップとをコンピュータに実行させることを特徴とする。
【手続補正５】
【補正対象書類名】明細書
【補正対象項目名】００１３
【補正方法】変更
【補正の内容】
【００１３】
本発明を適用した処方探索プログラムは、以前の生活習慣及び以前からの各変化症状と、新たな処方との３段階以上の第２連関度を取得する第２連関度取得ステップと、実際に以前の生活習慣及び当該生活習慣を実施した実際の患者による変化症状が入力される変化症状入力ステップと、上記第２連関度取得ステップにおいて取得した第２連関度を参照し、上記変化症状入力ステップを介して入力された上記以前の生活習慣及び上記変化症状に基づき、１以上の新たな処方を探索する新処方探索ステップとを有し、上記各ステップをコンピュータにより実行することを特徴とする。
【手続補正６】
【補正対象書類名】明細書
【補正対象項目名】００１４
【補正方法】変更
【補正の内容】
【００１４】
本発明を適用した処方探索方法は、各症状と、各生活習慣並びに各属性情報の何れか１以上との組み合わせと、その処方との３段階以上の第１連関度を予め取得する第１連関度取得ステップと、上記組み合わせを構成する情報が入力される入力ステップと、上記第１連関度取得ステップにより取得した第１連関度を参照し、上記入力ステップにおいて入力された上記情報に基づき、１以上の処方を探索する探索ステップと、上記探索ステップにおいて探索されて以前施された処方及び上記処方を実施した患者による各変化症状と、新たな処方との３段階以上の第２連関度を取得する第２連関度取得ステップと、以前施された処方を実施した実際の患者による変化症状が入力される変化症状入力ステップと、上記第２連関度取得ステップにおいて取得した第２連関度を参照し、上記変化症状入力ステップにおいて入力された上記変化症状及び以前施された処方に基づき、１以上の新たな処方を探索する新処方探索ステップとを有し、上記各ステップをコンピュータが実行することを特徴とする。
【手続補正７】
【補正対象書類名】明細書
【補正対象項目名】００１５
【補正方法】変更
【補正の内容】
【００１５】
本発明を適用した処方探索方法は、以前の生活習慣及び以前からの各変化症状と、新たな処方との３段階以上の第２連関度を取得する第２連関度取得ステップと、実際に以前の生活習慣及び当該生活習慣を実施した実際の患者による変化症状が入力される変化症状入力ステップと、上記第２連関度取得ステップにおいて取得した第２連関度を参照し、上記変化症状入力ステップを介して入力された上記以前の生活習慣及び上記変化症状に基づき、１以上の新たな処方を探索する新処方探索ステップとを有し、上記各ステップをコンピュータが実行することを特徴とする。